(57)【要約】【課題】携帯電話機をズボン用ベルトに掛けて持ち運ぶ形態のもので、ケース本体の内側に挿置する機器本体の押え蓋を設けても、機器本体を片手で出入れ可能で簡単な構造の所持ケースとして構成する。【解決手段】機器本体Ｔを縦に挿置可能な内のり形状を有する略四辺形の基枠１と、基枠１の内側に挿置される機器本体Ｔを収容可能な深さを持って基枠１の相対する一方の対辺間に掛渡し固定する略Ｕ字状の支え枠２と、支え枠２と交差する底辺より基枠１の相対する他方の対辺間に掛渡し固定する略Ｕ字状の押え枠３との三つの帯状体からケース本体を組み立てると共に、支え枠２の片上端側より伸びて基枠１の外側に回し込む延長部からズボン用ベルトＢの通し環４を設け、更に、押え枠３の片上端側より他上端側に伸びて止め具６で着脱可能に端部止めする延長部から機器本体の押え蓋５を設ける。【選択図】図２
2005160734.tif 000002
【特許請求の範囲】
【請求項１】
携帯電話機をズボン用ベルトに掛けて持ち運ぶのに用いられる所持ケースであって、機器本体を縦に挿置可能な内のり形状を有する略四辺形の基枠と、基枠の内側に挿置される機器本体を収容可能な深さを持って基枠の相対する一方の対辺間に掛渡し固定する略Ｕ字状の支え枠と、支え枠と交差する底辺より基枠の相対する他方の対辺間に掛渡し固定する略Ｕ字状の押え枠との三つの帯状体からケース本体を組み立てると共に、支え枠の片上端側より伸びて基枠の外側に回し込む延長部からズボン用ベルトの通し環を設け、更に、押え枠の片上端側より他上端側に伸びて止め具で着脱可能に端部止めする延長部から機器本体の押え蓋を設けてなることを特徴とする携帯電話機用所持ケース。
【発明の詳細な説明】
【技術分野】
【０００１】
本発明は、携帯電話機をズボン用ベルトに掛けて持ち運ぶのに用いられる所持ケースに関するものである。
【背景技術】
【０００２】
従来、携帯電話機をズボン用ベルトに掛けて持ち運ぶケースとしては、機器本体を縦に挿置可能な内のり形状を有する略四辺形の基枠を備え、ズボン用ベルトの通し環を基枠部の一辺に設けると共に、基枠の内側に挿置される機器本体を収容可能な深さを持ってズボン用ベルトの通し環を設けた基枠の相対する対辺間に掛渡し固定する略Ｕ字状の支え枠を設けてケース本体を形成するものが提案されている（特許文献１）。
【０００３】
その携帯電話機用所持ケースでは、基枠の内側に挿置する機器本体を押え止める蓋部材が設けられていない。このため、使用者が体を前に倒したり、体を躍動的に動かしたりするに伴って、機器本体がケース本体から脱落する虞れがある。
【０００４】
携帯電話機をズボン用ベルトに掛けて持ち運ぶのと別の形態に係る所持ケースにおいては、ケース本体の内側に挿置する機器本体を押え止める固定帯を設けるものが提案されている。この所持ケースにおいては、固定帯がケース本体を使用者の体に接する側よりケース本体の対向側に亘ってホック等の止め具で着脱可能に端部止めするよう設けられている（特許文献２）。
【０００５】
その所持ケースでは、機器本体をケース本体より取り出すに際し、固定帯を使用者の体側に跳ね上げられることから、機器本体を片手で容易に取り出せる。然し、機器本体をケース本体に収納するときには、固定帯がケース本体の出入れ口を閉める方向に倒れてしまう。このため、使用者は固定帯を片方の手で保持し、機器本体を他方の手でケース本体に収めるよう両手を使わなければならない。
【特許文献１】実開平３−５９７６２号
【特許文献２】実開平６−３１２５５号
【発明の開示】
【発明が解決しようとする課題】
【０００６】
本発明の解決しようとする課題は、携帯電話機をズボン用ベルトに掛けて持ち運ぶ形態のもので、ケース本体の内側に挿置する機器本体の押え蓋を設けても、機器本体を片手で出入れ可能で簡単な構造の所持ケースとして構成することである。
【課題を解決するための手段】
【０００７】
本発明は、機器本体を縦に挿置可能な内のり形状を有する略四辺形の基枠と、基枠の内側に挿置される機器本体を収容可能な深さを持って基枠の相対する一方の対辺間に掛渡し固定する略Ｕ字状の支え枠と、支え枠と交差する底辺より基枠の相対する他方の対辺間に掛渡し固定する略Ｕ字状の押え枠との三つの帯状体からケース本体を組み立てると共に、支え枠の片上端側より伸びて基枠の外側に回し込む延長部からズボン用ベルトの通し環を設け、更に、押え枠の片上端側より他上端側に伸びて止め具で着脱可能に端部止めする延長部から機器本体の押え蓋を設けたことを主要な特徴とする。
【発明の効果】
【０００８】
本発明に係る携帯電話機用所持ケースは、ケース本体と共に、ズボン用ベルトの通し環並びに機器本体の押え蓋を含むケース全体を三つの帯状体から組み立てることから、携帯電話機をズボン用ベルトに掛けて所持する形態のものとして簡単な構造に構成できる。
【０００９】
携帯電話機の所持状態においては、機器本体の押え蓋をズボン用ベルトの通し環と平行する方向に開閉可能で、機器本体をケース本体に収納するときにも、機器本体の押え蓋を押え枠の片上端側より外方に倒したまます保てるから、機器本体を片手で容易に出入れできて使用勝手のよいものに構成できる。
【発明を実施するための最良の形態】
【００１０】
図１並びに２は、携帯電話機をズボン用ベルトＢに掛けて使用者の右脇で所持するケースＣの使用形態を示す。その所持ケースは、送受信用のアンテナＡを下方に向けると共に、機器本体Ｔを縦に挿置するものとして構成されている。このケース全体は、布，合皮，本皮等から形成される三つの細い帯状体で組み立てられている。
【００１１】
第１の帯状体からは、図３で示すように機器本体Ｔを挿置可能な内のり形状を有する略四辺形の基枠１が形成されている。第２の帯状体からは、図４で示すように基枠１の内側に挿置される機器本体Ｔを収容可能な深さを持って基枠１の相対する内外の対辺間に掛渡し固定する略Ｕ字状の支え枠２が形成されている。第３の帯状体からは、図５で示すように支え枠２と交差する底辺より基枠１の相対する前後の対辺間に掛渡し固定する略Ｕ字状の押え枠３が形成されている。
【００１２】
その基枠１、支え枠２、押え枠３からケース本体を形成すると共に、ズボン用ベルトの通し環４が支え枠２の内上端側より伸びて基枠１の外側に回り込む第２の帯状体の延長部から設けられている。また、機器本体Ｔの押え蓋５が押え枠３の後上端側より前上端側に伸びる第３の帯状体の延長部から設けられている。押え蓋５は、前端部が面ファスナ６で押え枠３の前上端側と着脱可能に設けられている。この面ファスナに代えて、ホック等の止め具（以下、「止め具６」という。）を備え付けられる。
【００１３】
その構成中、支え枠２、押え枠３の上端部は接着剤で基枠１の各辺内側に接合固定されている。第１の帯状体から四辺形に枠取りする基枠１は、帯状体の両端部を支え枠２の内上端側と接着固定することから保形されている。また、支え枠２と押え枠３とが交差する底辺相互も接着固定し、通し環４を形成する延長部の端部も支え枠２の内辺中腹外面に接着固定することにより保形されている。この接着固定に代えて、縫着も適用するようにできる。
【００１４】
このように構成する携帯電話機用所持ケースでは、基枠１、支え枠２、押え枠３と共に、ズボン用ベルトの通し環４並びに機器本体の押え蓋５を含むケース全体が三つの帯状体から組み立てられているため、携帯電話機をズボン用ベルトに掛けて所持する形態のものとして簡単な構造で安価のものに構成できる。
【００１５】
その携帯電話機用所持ケースは、ズボン用ベルトＢを通し環４に挿通させて使用者の体に装着することから、携帯電話機を持ち運ぶケースとして携えられる。携帯電話機は、送受信用のアンテナＡを下方に向けて機器本体Ｔを基枠１の内側に挿置し、押え蓋５の前端部を止め具６で押え枠３の前上端側と止めれば脱落しないよう持ち運べる。アンテナＡは、支え枠２と押え枠３とによるコーナー部が隙間を呈するところから、当該隙間より外部に露出させて収容できる。
【００１６】
携帯電話機を取り出すときは、図６で示すように押え蓋５の前端部を止め具６で押え枠３の前上端側から外せばよい。その押え蓋５は、ズボン用ベルトＢを通し環４に挿通させてケース全体を使用者の右脇に装着した状態では前後方向向きに位置するため、体の前側より押え蓋５の前端部を止め具６で押え枠３の前上端側から外せば、後側に跳ね上げて下向きに垂らせられる。この押え蓋５の跳上げ作業は片手で行えると共に、押え蓋５を後側に垂らせば、携帯電話機を基枠１の内側より片手で取り出せる。
【００１７】
逆に、携帯電話機を元に戻すときには、押え蓋５が下向きに垂れて基枠１の出入れ口が空いたままに保てるため、携帯電話機を基枠１の内側に片手で仕舞い込めると共に、押え蓋５も片手で元の状態に戻し、押え蓋５の前端部を止め具６で押え枠３の前上端側に止めるようにできる。なお、押え蓋５は止め具６を後上端側に備え付けられるが、右利き乃至は左利きのいずれの使用者としても前側から後開きに設定するのが使い勝手上好ましい。
【図面の簡単な説明】
【００１８】
【図１】本発明に係る携帯電話機用所持ケースを使用者の体に装着した状態で示す斜視図である。
【図２】図１の所持ケースを携帯電話機の収容状態で示す斜視図である。
【図３】図２の所持ケースを示すＡ−Ａ線断面図である。
【図４】図２の所持ケースを示すＢ−Ｂ線断面図である。
【図５】図２の所持ケースを示すＣ−Ｃ線断面図である。
【図６】図２の所持ケースを押え蓋の開放状態で示す斜視図である。
【符号の説明】
【００１９】
Ｔ            携帯電話機の機器本体
Ｂ            ズボン用ベルト
１            基枠
２            支え枠
３            押え枠
４            ベルト通し環
５            押え蓋
６            止め具
【図１】
2005160734.tif 000003
【図２】
2005160734.tif 000004
【図３】
2005160734.tif 000005
【図４】
2005160734.tif 000006
【図５】
2005160734.tif 000007
【図６】
2005160734.tif 000008